(57)【要約】【課題】衝撃に対し良好な緩衝性能を有する、軽量化されたヘルメットの構造の提供。【解決手段】ヘルメット（１０）は、外部シェル（１１）と、ＥＰＳやＥＰＰの材料から形成されたキャップ（１３）とを含む。キャップが、外部シェルの内側に配置され、少なくとも頭蓋の頂部を被覆するための上部（１３１）を有する。キャップが、上部をほぼ覆う厚さ「ｅ」の第１の層（１３２）と、第１の層から頭の方向に突き出す、高さ「ｈ」の幾つかの接触片（１３３）とを含み、第１の層及び接触片が単一の部品（１３）を形成する。接触片の高さは、第１の層の厚さよりも大きい。【選択図】図４
2016023400.tif 000002
【特許請求の範囲】
【請求項１】
外部シェル（１１）と、
ＥＰＳ又はＥＰＰの材料から形成されたキャップ（１３）とを含み、
前記キャップが、前記外部シェルの内側に配置され、頭蓋の頂部を少なくとも被覆するための上部（１３１）を有し、前記キャップが、前記上部をほぼ覆う厚さ「ｅ」の第１の層（１３２）と、前記第１の層から頭の方向に突き出す、高さ「ｈ」の幾つかの接触片（１３３）とを含み、前記第１の層及び前記接触片が単一の部品（１３）を形成する、ヘルメット（１０）であって、
前記接触片の高さ「ｈ」が、前記第１の層の厚さ「ｅ」よりも大きいことを特徴とするヘルメット。
【請求項２】
前記第１の層の厚さ「ｅ」が、１〜１７．５ミリメートルであることを特徴とする請求項１に記載のヘルメット（１０）。
【請求項３】
前記第１の層の厚さ「ｅ」が、１０ミリメートル未満であることを特徴とする請求項１に記載のヘルメット（１０）。
【請求項４】
前記上部における前記接触片の高さ「ｈ」が、１０〜３５ミリメートルであることを特徴とする請求項１乃至３のいずれか１項に記載のヘルメット（１０）。
【請求項５】
前記接触片の平均横断面が、０．５〜５平方センチメートルであることを特徴とする請求項１乃至４のいずれか１項に記載のヘルメット（１０）。
【請求項６】
前記上部の幾つかの接触片は、その高さ「ｈ」が、これらの接触片の平均横断面を特徴付ける最小寸法よりも大きいように寸法が決定されることを特徴とする請求項１乃至５のいずれか１項に記載のヘルメット（１０）。
【請求項７】
前記接触片が、前記上部において無作為に配分されることを特徴とする請求項１乃至６のいずれか１項に記載のヘルメット（１０）。
【請求項８】
前記接触片の頂点（１３３１）が、頭又は頭を覆うカバーと接触するようにされていることを特徴とする請求項１乃至７のいずれか１項に記載のヘルメット（１０）。
【請求項９】
前記接触片が、ほぼ平行６面体の形状を有することを特徴とする請求項１乃至８のいずれか１項に記載のヘルメット（１０）。
【請求項１０】
前記キャップが、一体部品であることを特徴とする請求項１乃至９のいずれか１項に記載のヘルメット（１０）。
【請求項１１】
前記接触片の底部の断面が、前記接触片の頂点の断面とほぼ同じであることを特徴とする請求項１乃至１０のいずれか１項に記載のヘルメット（１０）。
【請求項１２】
前記接触片は、その高さがほぼ垂直方向に沿って伸長するように配向されることを特徴とする請求項１乃至１１のいずれか１項に記載のヘルメット（１０）。
【請求項１３】
前記キャップが、成形により製作されることを特徴とする請求項１乃至１２のいずれか１項に記載のヘルメット（１０）。
【請求項１４】
前記接触片が、中空であることを特徴とする請求項１乃至１３のいずれか１項に記載のヘルメット（１０）。
【発明の詳細な説明】
【技術分野】
【０００１】
本発明は、スポーツ活動用の保護ヘルメットに関する。かかる活動は、特にアルペンスキー、山スキー又はスノーボードであり得る。本発明は、登攀、登山、自転車競技を行うこと、又はスノーモービルを行う際に用いられるヘルメットに関わる。一般的に、ヘルメットは、利用者が転倒したときや、物体が利用者の方に飛んできたときや、又は物体もしくは第三者との衝突の際に受ける衝撃から頭蓋を保護するための、頭部を保護するものである。
【背景技術】
【０００２】
ヘルメットの従来の構成は、外部シェルと、内部キャップとを含む。外部シェルは、一般的に剛性があり、例えば、ＡＢＳ（アクリロニトリルブタジエンスチレン）又はＰＣ（ポリカーボネート）のような熱可塑性素材の成形／射出によって製作される。一般に、内部キャップは、ＥＰＳ（発泡性ポリスチレン）又はＥＰＰ（発泡性ポリプロピレン）のような発泡材料により製作される。利用者に快適さを保証するために、典型的には、例えば、布地で被覆された発泡体から製作できる内部カバーをヘルメットに装備する。内部カバーは、内部キャップの内側に固定される。
【０００３】
ヘルメットは、利用者の快適さを損ねないためにできるだけ軽量としながら、利用者の頭蓋の部位における損傷の危険を減少させることを目的とする。
【０００４】
従って、良いヘルメットは、２つ相反する要求、すなわち、一方では、できるだけ減衰し得る緩衝材料を含むこと、他方では、容易に携帯でき、かつ利用者を煩わせないためにできるだけ軽いことを満たさねばならない。
【０００５】
使用者の安全を確保するために、関連した種目における認可を目指す候補ヘルメットに適用される認証試験及び許容限度を一般的に規定する幾つもの規格が存在する。スポーツ活動に応じて、規格の要求は、異なり得る。このようにして、１つの規格が、特定の活動を扱う。これらの要求から、必要な保護を確保するためにヘルメットが有さねばならない特性が生じる。例えば、これらの特性は、ヘルメットの様々な領域における、行われる活動に応じた貫入耐性及び緩衝性に対応する。
【０００６】
このようにして、頂部において良好な減衰又は緩衝作用を有するヘルメットを設計する大きな必要性が生じ、この領域は、多くの場合に認可を得るためのテストの合格にとって重要な領域である。
【０００７】
この領域において、ヘルメットの減衰特性は、主に内部キャップの設計によって決まる。
【０００８】
最も一般的なキャップの構成は、頭蓋の外形を再現するエンベロープの形状を呈する。所望の緩衝性能を得るために、適合した材料を使用し、かつ／又はエンベロープの厚さを変化させる。その結果、利用者にとって不快の原因となる、ヘルメットの重量を増し得るサイズがもたらされる。
【０００９】
他の構成は、独立した接触片（ｐｌｏｔ）を直接、外部シェルに（米国特許第４７６６６１４号）、内部エンベロープに（英国特許第２２４０２５５号、米国特許第４２３９１３６号）、又はカバーに結合して（米国特許第７７７４８６６号、欧州特許第０４２３３７９号）付け加えることを提案する。全ての場合において、これらの接触片は、圧縮して作動するように寸法が決定される。減衰は、このようにして接触片を押し潰すことよって行われる。幾つかの実施形態において、これらの接触片は、頭を固定するために使用される。付け加えられた接触片を組み込むこれらの様々な構成は、製作することが複雑であり、かつ費用がかかることが判明している。１つの難点は、接触片をヘルメットに対して固定及び保持することに関係する。
【００１０】
もう１つの構成は、利用者の頭の方向に突き出す突起を画定する通気路を備えた内部キャップが提供される。このタイプの構造は、突出部が僅かな高さで伸長する、比較的厚い層を有するキャップを特徴とする。緩衝作用は、ここで厚い層によって行われ、突出部は、頭蓋頂点の通気を確保する空気流の誘導の役割を有する。この構成において、所望の特性を得るために、突起は、キャップの厚さよりも小さい高さを有する。欧州特許第２７１６１７５号は、このタイプのヘルメットを例示する。
【先行技術文献】
【特許文献】
【００１１】
【特許文献１】米国特許第４７６６６１４号
【特許文献２】英国特許第２２４０２５５号
【特許文献３】米国特許第４２３９１３６号
【特許文献４】米国特許第７７７４８６６号
【特許文献５】欧州特許第０４２３３７９号
【特許文献６】欧州特許第２７１６１７５号
【発明の概要】
【発明が解決しようとする課題】
【００１２】
本発明の目的は、改善されたヘルメットを提案することである。
【００１３】
１つの目的は、特には良好な緩衝性能を有する、軽量化したヘルメットの構造を提案することである。
【００１４】
別の目的は、構造において、ごく少数の組み立て構成部品を含むヘルメットを提案することである。
【００１５】
別の目的は、製作方法が簡易である、経済的なヘルメットを提案することである。
【課題を解決するための手段】
【００１６】
上記目的のために、本発明は、
−  外部シェルと、
−  ＥＰＳやＥＰＰの材料から構成されたキャップとを含み、キャップが、外部シェルの内側に配置され、かつ少なくとも頭蓋の頂部を被覆するための上部を有し、キャップが、該上部をほぼ覆う厚さ「ｅ」の第１の層と、第１の層から頭の方向に突き出す、高さ「ｈ」の幾つかの接触片とを含み、第１の層及び接触片は単一の部品を形成する、ヘルメットを対象とする。
【００１７】
ヘルメットは、接触片の高さが、第１の層の厚さよりも大きいことを特徴とする。
【００１８】
この構造は、ごく少数の部品によって外部シェルに固定されたキャップを有し、良好な緩衝又は減衰特性を有する軽量のヘルメットを提供することができる。この構成は、キャップにおいて接触片を好適に配置することができ、接触片の高さを好適に設定することにより、屈曲及び／又は座屈に類するような変形挙動を可能にし、このことは、ヘルメットの緩衝又は減衰性能を改善する。その上、ヘルメットは、コンパクトであり、扱いやすい。本発明にかかるヘルメットは、軽量化を図ることができ、かつ通気性にも優れた構造とすることができる。当該ヘルメットは、簡易に着脱可能であり、容易に取り替えられ得るカバーの使用も可能である。
【００１９】
本発明においては、次の特性のいずれかを任意に単独で又は選択的に組み合わせて有するようにしてもよい。
−  第１の層の厚さ「ｅ」は、１〜１７．５ミリメートルである。
−  キャップの上部における接触片の高さ「ｈ」は、１０〜３５ミリメートルである。
−  接触片の平均横断面は、０．５〜５平方センチメートルである。
−  キャップの上部の幾つかの接触片は、その高さ「ｈ」が、これらの接触片の平均断面を特徴付ける最小寸法の高さよりも大きいように寸法が決定される。
−  接触片は、キャップの上部において無作為に配置される。
−  接触片の頂点（自由端）は、頭又は頭を覆うカバーと接触するためのものである。
−  接触片は、ほぼ平行６面体の形状を有する。
−  キャップは、一体部品である。
−  接触片の底部の断面は、接触片の頂点の断面とほぼ同じである。
−  接触片は、底部に対してほぼ垂直方向に沿ってその高さが伸長するように配向される。
−  キャップは、成形により製作することができる。
−  接触片は、中空とすることができる。
【００２０】
添付図面を参照して、本発明の実施形態を非限定的な例としてここに記載する。
【図面の簡単な説明】
【００２１】
【図１】本発明によるヘルメットの主要な実施形態の斜視図である。
【図２】ヘルメットの内側の底部の斜視図である。
【図３】ヘルメットの底部の平面図である。
【図４】図３のＩＶ−ＩＶに沿った断面図である。
【図５】本発明による接触片の変位の形態を例示する部分断面図である。
【図６】本発明による接触片の、図５と異なる変位の形態を例示する部分断面図である。
【発明を実施するための形態】
【００２２】
ヘルメット１０は、外部シェル１１と、つば１２と、キャップ１３と、耳保護クッション１４と、顎ひも１５とを含む。
【００２３】
以下の記載において、「水平な」、「垂直な」、「長手方向の」、「横方向の」、「上の」、「下の」、「高い」、「低い」、「前の」、「後の」、「以前の」、「以後の」のような用語が用いられる。これらの用語は実際には、ヘルメットが、正常な姿勢の使用者の頭の上で占める位置、及び着用者の正常な前進方向との関係において相対的に解釈されるべきである。
【００２４】
ヘルメットは、頭蓋の「頂部」、すなわち頭蓋の頂部を少なくとも覆うための上部１０１を含む。上部は、前頭骨の上方の部分と、頭頂骨の上方の部分とを被覆する領域によって画定される。この実施例において、ヘルメットの上部１０１は、外部シェルの上部１１１と、キャップの上部１３１とから構成される。
【００２５】
外部シェル１１は、一体型の構成であり、単一の構成体として形成される。ここにおいては、外部シェル１１は、ポリカーボネート（ＰＣ）製である。また、外部シェル１１はアクリロニトリルブタジエンスチレン（ＡＢＳ）製、炭素繊維又は天然繊維を充填した素材製とすることができる。外部シェル１１は、成形により、例えば、射出成形される。
【００２６】
キャップ１３は、ここでは、同様に一体型の構成とされている。キャップ１３は、発泡性ポリスチレンフォーム（「Ｅｘｐａｎｄａｂｌｅ  ＰｏｌｙＳｔｙｒｅｎｅ」に由来するＥＰＳ）から作られる。あるいは、発泡性ポリプロピレン（「Ｅｘｐａｎｄａｂｌｅ  ＰｏｌｙＰｒｏｐｙｒｅｎｅ」に由来するＥＰＰ）、又は他の材料、好ましくは発泡素材製であっても良い。キャップ１３は、外部シェル１１の内面１１２を覆うために外部シェル１１に固定される。
【００２７】
キャップ１３は、利用者の頭を包み込むように設計される。その内部エンベロープの構成は、追って詳述する。
【００２８】
キャップ１３は、外部シェル１１と別個の部品であっても良く、外部シェル１１に組み付けるようにしてもよい。あるいは、キャップ１３は、熱成形又は「インモールド」技術により、外部シェル１１上にオーバーモールドされるようにしてもよい。
【００２９】
快適さを改善するために、外部シェル１１及びキャップ１３は、利用者の頭蓋の部分の通気を確保する空気流の到達及び／又は排出を可能にするように、対向して位置決めされている開口部を含んでも良い。
【００３０】
この実施例において、ヘルメットの下部は、キャップに固定されたつば１２によって画定される。このつばは、キャップ１３の下縁部と一緒に外部シェル１１の下縁部を画する。つばは、任意であり、本発明は、ヘルメットの下縁部を画定するつばを有さないヘルメットにも応用される。
【００３１】
キャップ１３は、厚さの観点において２つのレベルを含む構造を有する。
【００３２】
第１のレベルは、利用者の頭蓋の部分を被覆する厚さ「ｅ」の第１の層１３２を形成する。この第１の層は、外部シェルの形状をほぼ再現する。この第１の層の外面１３２１は、外部シェルの内面１１２に対して据えられる。この組み付けは、接着、溶融、オーバーモールディング、又は他の技術によって行われ得る。この層の厚さｅは、ヘルメットの内面全体にわたって必ずしも一定である必要はない。例えば、それは、キャップの上部においては厚く、また、下部、すなわち前部、側方部及び後部にわたって薄くなるようにしても良い。先に述べたように、第１の層１３２は、頭蓋の部分の通風のための開口部を含んでも良い。
【００３３】
キャップの第２のレベルの構造は、利用者の頭の方向で、第１の層１３２の内面１３２２から突き出ている突起１３３、１３４の集合体を含む。これらの突起の形状は、それらの配置に応じて異なる。
【００３４】
キャップの下部（前部、側方部及び後部）において、突起は、例えば可変の厚さの平行６面体のブロック１３４を形成する。このようにして、各ブロックは、下部において薄く、かつ上部においてより厚い。ブロックは、キャップ１３の下部内周にわたってほぼ規則正しく配分される。このように配置されたブロック間に通路が形成されている。これらの通路は、頭蓋の通気のための空気循環に役立つ。
【００３５】
キャップの上部１３１において、突起は、接触片１３３を形成する。例示した実施例において、これらの接触片は、ほぼ一定の高さ「ｈ」を有する平行６面体である。これらの平行６面体は、しかしながら、互いに異なる断面を有する。応用例において、それらは、同一の断面を有しても良い。あるいは、これらの接触片は、他の多面体又は円筒形状としても良い。それは、角錐台、円筒、円錐台であっても良い。同様に、これらの接触片の高さは、必ずしも一定でなくてもよい。このようにして接触片の高さが、例えば更なる減衰作用を得るために更に大きな接触片の形状を有するようにしてもよい。そのような場合でも、接触片間に通路が形成される。これらの通路は、頭蓋部分の通気のための空気循環に役立つ。記載した実施形態によれば、接触片の配分又は配向は、上部１３１においてランダムである。あるいは、接触片の配分や配向は、規則的な設計に従っても良い。
【００３６】
図４に示されているように、キャップの総厚「Ｔ」は、第１の層の厚さ「ｅ」及び突起、ブロック１３４又は接触片１３３の高さ「ｈ」の和に対応する。総厚「Ｔ」は、接触片１３３が配置されている部分や、ブロック１３４が配置されている部分等の関連するキャップのそれぞれの部分に応じて変わっても良い。
【００３７】
本発明によれば、キャップの上部１３１において、大半の接触片が、ヘルメットの緩衝又は減衰性能を改善するために、接触片の圧縮に相補的又は代替的な変形を得るために十分な高さを有している。この変形は、座屈の変位形態と類するような変形や屈曲であっても良い。この場合において、接触片は、圧縮され得るだけでなく、軸方向とは関係のない非軸方向に変形され得るように寸法が決定され、かつ配設される。このようにして、接触片は、従来技術の構成のように単に圧縮のみによる変形だけではない。
【００３８】
図５及び図６は、激突により「Ｆ」で示されたような力を受けた場合のこれらの接触片の変形の例を例示する。接触片１３３は、力「Ｆ」を受け、平面「Ｐ」によってここで表される頭蓋部分又はカバーによって受け持たれる。接触片１３３は、その場合に、その形状やサイズに応じて、第１段階において圧縮して、次に第２段階において非軸方向に変形する。図５においては、変形は、座屈と類似するような変形形態で示されている。図６においては、変形は、屈曲と類似するような変形形態で示されている。接触片の変形は、激突による力の大きさ、作用する領域や接触片の形状やサイズに応じて接触片毎に異なっていても良い。全ての接触片が、推奨された比率を遵守することは、必要でなく、緩衝作用は、いずれかの接触片によって受け止められても良い。しかしながら、緩衝作用は、第１の層の厚さによるよりも、第１の層の厚さより大きい寸法を有する高さを備えた多くの接触片が存在する場合、より良好である。
【００３９】
この相補的又は代替的な変形を得るために、提案された構成においては、接触片の底部がしっかり固着され、接触片の高さにより、追加的な又は更なる変形を可能にする。厚さ「ｅ」の第１の層１３２は、このように接触片との一体的な形成や、かつ均質の構造を作り出すために、接触片と関連している。その上、満足できる変形を得るために、接触片の高さ「ｈ」は、第１の層の厚さ「ｅ」よりも大きい。
【００４０】
その上、なおも更に有効な相補的又は代替的な変形を得るために、最適な変形領域に設置された幾つかの接触片は、これらの接触片の平均横断面を特徴付ける最小寸法よりも大きい高さ「ｈ」を有する。最小寸法は、四角い断面の一辺、平行４辺形の断面の最小の高さ、円筒の直径であっても良い。高さが、この寸法よりも大きいほど、このことは、所望される追加の変形を容易にすることになる。その場合、接触片は、非軸方向に更に容易に変形され得る。
【００４１】
良好な力の低減（減衰）作用を呈する実施形態によれば、接触片の底部の断面は、接触片の頂部の断面とほぼ同じである。従って、傾斜の度合いが大きい角錐又は円錐形状の接触片を有することを回避することが好ましい。傾斜の度合いが大きい角錐又は円錐形状の接触片の場合には、接触片は、実質的に圧縮して変形されるが、好適な変形形態で無い場合には、所望される挙動とはならない。
【００４２】
驚くべきことに、従来の「中実の」キャップ、すなわち接触片のないキャップに対して、このような接触片を含むキャップの減衰又は緩衝性能（力の低減性能）は、同等の総厚よりも明らかに良好であることがわかった。例えば、頂部に衝撃を受けた場合の頭部のレベルで測定された変化率に関しては、接触片を有するキャップは接触片を有していないキャップに対して少なくとも１５％低減されている。
【００４３】
このようにして、接触片１３３は、自動車のバンパと同じようにショックアブソーバ（クラッシュボックス）の役割を務める。衝撃によって発生した運動エネルギーは、キャップの材料による固有の吸収を補足して、これらの接触片によってこのようにして消散される。この二重の消散は、同等な厚さの、接触片のないキャップに対して減衰効果を改善する。
【００４４】
従って、減衰又は緩衝効果は、主に接触片１３３の変形により、そして僅かに第１の層１３２の厚さを介して得ることができる。第１の層は本質的に、接触片を互いに連結して、一体的に形成された構造を作り出すことに役立つ。
【００４５】
これらの実施例において、厚さ「ｅ」に対する高さ「ｈ」の比は（第４図参照）、１を超える。減衰の良好な結果は、１〜１７．５ミリメートルの厚さ「ｅ」及び／又は１０〜３５ミリメートルの高さ「ｈ」によって得られ、先に定義された比は、好適に遵守される。快適さのために、キャップの総厚「Ｔ」は、好ましくは４０ミリメートル未満が好ましい。
【００４６】
同様に、接触片の平均横断面は、好適には、０．５〜５平方センチメートルである。小さい断面においては、接触片は、非軸方向に容易に変形され得る。大きい断面においては、接触片は、非軸方向における変形が小さくなる。しかしながら、接触片の頂部１３３１は、頭蓋との更に大きな接触面積をもたらし、このことは、伝達される応力を更に小さくすることとなるので、快適さが増大する。良好な妥協点としては、好適には１〜４ｃｍ２の断面である。
【００４７】
好ましい実施形態によれば、第１の層１３２は、１０ミリメートル未満のやや薄い厚さ「ｅ」を特徴とする。このような厚さは、極めて高い減衰又は緩衝性能特性を有する接触片を優先的に設けつつ、全体的なキャップの形状を外部シェルのそれに容易に適合させることを可能にする。その上、第１の層の厚さを減少させることにより、また、接触片の間隔を適切に設定することにより、必要かつ有効な減衰又は緩衝のための材料の量を減少させることも可能である。従って、そのことは、ヘルメットの軽量化に資することとなり、このことは、スポーツに関連するヘルメットに関して非常に重要な、かつ根本的な事柄である。ヘルメットの従来の構成とは異なり、良好な保護レベルを得るために、キャップの全表面にわたって連続した厚さを有することは、必要でないことがわかった。
【００４８】
キャップは、第１の層１３２及び接触片１３３が、単一の部品を形成するという意味において「一体」部品である。しかしながら、キャップは、第１の層と突起とを含む、幾つかの領域部分により構成され得る。また、単にブロックで構成される場合には、キャップの製作は、極めて簡略化される。他方、付け加えられた多数の接触片を備えたヘルメットに対して、ヘルメットを構成する部材の要素数は、減少される。
【００４９】
キャップの製作を一層簡略化するために、接触片は、キャップが工具の単純な動きによって成形型から取り出せるように設計され得る。このことは、この実施例において、接触片が、その高さをほぼ垂直方向に沿って伸長させるように配向されることを意味する。
【００５０】
本発明により、キャップは、経済的な材料、とりわけＥＰＳ及び／又はＥＰＰを使用して、その減衰又は緩衝性能から最良の解決策を引き出して製作できる。接触片を互いに離間して形成することによりキャップの内部エンベロープの部分がくり抜かれたような構成とされているため、キャップの素材の体積を減少させることができ、それ故にヘルメットの重量を減少させることができる。この軽量化は、要求される安全性を否定することなく、着用する快適さを利用者に与える。減衰又は緩衝のための素材を減少させたとしても、接触片の変形形態の態様によって補償される。
【００５１】
この実施例において、接触片１３３の頂点１３３１は、頭又は頭を覆うカバーと接触する。典型的には、ヘルメットは、利用者の頭とキャップとの間の界面を形成するカバーが組み込まれている。これは、カバーを、頭部との接触に対して快適な材料で製作することができるので、より良好な快適さをもたらす。その上、カバーが長い接触によって例えば汗等により傷む場合に容易に取り替えることができるように構成することができる。
【００５２】
例示した実施形態において、接触片は、中実な構成である。一方、ヘルメットの構造を一層軽量化するために、軽量化した接触片を考慮することができる。この場合においては、キャップは、例えば、中空の接触片で構成される。
【００５３】
要約すると、キャップの上部１３１の接触片１３３は、一方で緩衝、及び他方で頭蓋の通気という、２つの主要な機能を確保する。
【００５４】
本発明は、上記した実施形態に限定されるものではない。これらの実施形態を組み合わせることも、可能である。
【００５５】
本発明は、上記した実施形態に限定されず、添付した請求項によって包含される技術的範囲に及ぶものである。
【図１】
2016023400.tif 000003
【図２】
2016023400.tif 000004
【図３】
2016023400.tif 000005
【図４】
2016023400.tif 000006
【図５】
2016023400.tif 000007
【図６】
2016023400.tif 000008